(57)【要約】【課題】水や重量が重いものを収容した場合、その重量がマチ部フイルム片と表裏フイルム片に加わるようにして、収容物の荷重が溶着シール線上の特定場所に集中するのを防止し、溶着シール線に、収容部の重量に十分に耐え得るシール強度を持たせることができるようにしたマチ付きプラスチックフイルム袋の提供。【解決手段】表裏フイルム片１０，１０の両側部から内側にマチ部フイルム片１１，１１が折り込まれたマチ付き筒状プラスチックフイルム１により形成されたマチ付きプラスチックフイルム袋であって、上端に開口部２が形成されると共に、底端がマチ付き筒状プラスチックフイルムを横断する溶着シール線３により閉鎖され、前記溶着シール線は、前記両マチ部フイルム片の奥端部同士を重ね合わせた状態で、表裏フイルム片及びマチ部フイルム片を一体的に溶着するように形成されている。【選択図】　　　図１
2004051186.tif 000002
【特許請求の範囲】
【請求項１】
表裏フイルム片の両側部から内側にマチ部フイルム片が折り込まれたマチ付き筒状プラスチックフイルムにより形成されたマチ付きプラスチックフイルム袋であって、
上端に開口部が形成されると共に、底端がマチ付き筒状プラスチックフイルムを横断する溶着シール線により閉鎖され、
前記溶着シール線は、前記両マチ部フイルム片の奥端部同士を重ね合わせた状態で、表裏フイルム片及びマチ部フイルム片を一体的に溶着するように形成されていることを特徴としたマチ付きプラスチックフイルム袋。
【請求項２】
表裏フイルム片の両側部から内側にマチ部フイルム片が折り込まれたマチ付き長尺筒状プラスチックフイルムにより形成されたマチ付き連続状プラスチックフイルム袋であって、
前記マチ付き長尺筒状プラスチックフイルムを横断するように一定間隔毎に溶着シール線が形成され、
前記各溶着シール線に近接してミシン目状の切断線が形成されて、この切断線から切り取ることにより、上端に開口部が形成されると共に、底端が前記溶着シール線によって閉鎖された１枚分のマチ付きプラスチックフイルム袋を得るように形成され、
前記溶着シール線は、前記両マチ部フイルム片の奥端部同士を重ね合わせた状態で、表裏フイルム片及びマチ部フイルム片を一体的に溶着するように形成されていることを特徴としたマチ付き連続状プラスチックフイルム袋。
【発明の詳細な説明】
【０００１】
【発明の属する技術分野】
本発明は、ゴミ袋や買い物袋、その他の収容袋等、主に重量が重いものを収容するのに適したマチ付きプラスチックフイルム袋及びマチ付き連続状プラスチックフイルムに関する。
【０００２】
【従来の技術】
従来、マチ付きプラスチックフイルム袋は、図６に示すように、表裏フイルム片１０，１０の両側部から内側にマチ部フイルム片１１，１１が折り込まれたマチ付き筒状プラスチックフイルム１により形成され、上端に開口部２が形成されると共に、底端がマチ付き筒状プラスチックフイルム１を横断する溶着シール線３により閉鎖されている。
この場合、前記溶着シール線３は、表裏フイルム片１０，１０及びマチ部フイルム片１１，１１を一体的に溶着するように形成されるもので、溶着シール線３の中央部分は、表裏フイルム片１０，１０が溶着した２枚重ね溶着シール部３０に形成され、その両側は、表裏フイルム片１０，１０とマチ部フイルム片１１とを溶着した４枚重ね溶着シール部３１に形成されていた。
【０００３】
【発明が解決しようとする課題】
しかしながら、このようなマチ付きプラスチックフイルム袋にあっては、溶着シール線３における２枚重ね溶着シール部３０は、表裏フイルム片１０，１０が溶着した部分であり、また、４枚重ね溶着シール部３１は表裏フイルム片１０，１０とマチ部フイルム片１１とが溶着した部分である。
【０００４】
このように、溶着シール線３上に、マチ部フイルム片１１と表裏フイルム片１０，１０が溶着された部分（４枚重ね溶着シール部３１）と、マチ部フイルム片１１が溶着されずに、表裏フイルム片１０，１０のみが溶着された部分（２枚重ね溶着シール部３０）があると、２枚重ね溶着シール部３０では収容物の重量が表裏フイルム片１０，１０のみに加わり、一方、４枚重ね溶着シール部３１では収容物の重量がマチ部フイルム片１１及び表裏フイルム片１０，１０に加わることになる。
このため、４枚重ね溶着シール部３１と２枚重ね溶着シール部３０との境部分（図６においてＡで示す部分）に荷重が集中しやすくなり、袋に水や重量が重い物を収容すると、その境部分（Ａで示す部分）にピンホールのような穴があき、ここから次第に破れていくという問題があった。
【０００５】
本発明は、上記の問題を解決するためになされたもので、水や重量が重い物を収容しても、その重量に十分に耐え得るシール強度を持った溶着シール線が形成されたマチ付きプラスチックフイルム袋及びマチ付き連続状プラスチックフイルム袋を提供することを課題としている。
【０００６】
【課題を解決するための手段】
上記の課題を解決するため、本発明のマチ付きプラスチックフイルム袋（請求項１）は、
表裏フイルム片の両側部から内側にマチ部フイルム片が折り込まれたマチ付き筒状プラスチックフイルムにより形成されたマチ付きプラスチックフイルム袋であって、
上端が開口されると共に、底端がマチ付き筒状プラスチックフイルムを横断する溶着シール線により閉鎖され、
前記溶着シール線は、前記両マチ部フイルム片の奥端部同士を重ね合わせた状態で、表裏フイルム片及びマチ部フイルム片を一体的に溶着するように形成されている構成とした。
【０００７】
又、本発明のマチ付き連続状プラスチックフイルム袋（請求項２）は、
表裏フイルム片の両側部から内側にマチ部フイルム片が折り込まれたマチ付き長尺筒状プラスチックフイルムにより形成されたマチ付き連続状プラスチックフイルム袋であって、
前記マチ付き長尺筒状プラスチックフイルムを横断するように一定間隔毎に溶着シール線が形成され、
前記各溶着シール線に近接してミシン目状の切断線が形成されて、この切断線から切り取ることにより、上端が開口されると共に、底端が前記溶着シール線によって閉鎖された１枚分のマチ付きプラスチックフイルム袋を得るように形成され、
前記溶着シール線は、前記両マチ部フイルム片の奥端部同士を重ね合わせた状態で、表裏フイルム片及びマチ部フイルム片を一体的に溶着するように形成されている構成とした。
【０００８】
【発明の実施の形態】
以下、本発明の実施形態を図面に示す実施例により詳述する。
図１は第１実施例にかかるマチ付きプラスチックフイルム袋の正面図である。
【０００９】
このマチ付きプラスチックフイルム袋は、表裏フイルム片１０，１０の両側部から内側にマチ部フイルム片１１，１１が折り込まれたマチ付き筒状プラスチックフイルム１により形成されたもので、上端に開口部２が形成されると共に、底端がマチ付き筒状プラスチックフイルム１を横断する溶着シール線３により閉鎖されることで袋状に形成されている。
【００１０】
この場合、前記両マチ部フイルム片１１，１１は、その奥端部同士が重ね合わされており、このように前記両マチ部フイルム片１１，１１の奥端部同士を重ね合わせた状態で、表裏フイルム片１０，１０及びマチ部フイルム片１１，１１を一体的に溶着するように前記溶着シール線３が形成されている。
したがって、溶着シール線３の中央部分は、表裏フイルム片１０，１０と両マチ部フイルム片１１，１１の奥端部同士を重ね合わせて溶着した６枚重ね溶着シール部３５に形成され、その両側は、表裏フイルム片１０，１０とマチ部フイルム片１１とを溶着した４枚重ね溶着シール部３６に形成されている。
【００１１】
本実施例のように、溶着シール線３の中央部分を６枚重ね溶着シール部３５に形成し、その両側を４枚重ね溶着シール部３６，３６に形成したものは、溶着シール線３上に表裏フイルム片１０，１０を溶着しただけの２枚重ね溶着シール部はなく、溶着シール線３のどの部分をとっても表裏フイルム片１０，１０とマチ部フイルム片１１が溶着されている。
従って、水や重量が重いものを収容した場合、その重量がマチ部フイルム片１１と表裏フイルム片１０，１０に加わることから、収容物の荷重が溶着シール線３上の特定場所に集中するのを防止でき、溶着シール線３に、収容部の重量に十分に耐え得るシール強度を持たせることができる。
【００１２】
次に、図２は第２実施例にかかるマチ付き連続プラスチックフイルム袋の斜視図である。
このマチ付き連続プラスチックフイルム袋は、表裏フイルム片４０，４０の両側部から内側にマチ部フイルム片４１，４１が折り込まれたマチ付き長尺筒状プラスチックフイルム４により形成されたもので、前記マチ付き長尺筒状プラスチックフイルム４を横断するように一定間隔毎に溶着シール線５が形成され、前記各溶着シール線５に近接してミシン目状の切断線６が形成されて、この切断線６から切り取ることにより、上端に開口部７が形成されると共に、底端が前記溶着シール線５によって閉鎖された１枚分のマチ付きプラスチックフイルム袋８を得るように形成されている。
【００１３】
この場合、前記両マチ部フイルム片４１，４１は、その奥端部同士が重ね合わされており、このように前記両マチ部フイルム片４１，４１の奥端部同士を重ね合わせた状態で、表裏フイルム片４０，４０及びマチ部フイルム片４１，４１を一体的に溶着するように前記溶着シール線５が形成されている。
したがって、溶着シール線５の中央部分は、表裏フイルム片４０，４０と両マチ部フイルム片４１，４１の奥端部同士を重ね合わせて溶着した６枚重ね溶着シール部５０に形成され、その両側は、表裏フイルム片４０，４０とマチ部フイルム片４１とを溶着した４枚重ね溶着シール部５１に形成され、溶着シール線５上に表裏フイルム片４０，４０を溶着しただけの２枚重ね溶着シール部はなく、溶着シール線５のどの部分をとっても表裏フイルム片４０，４０とマチ部フイルム片４１が溶着されている。
【００１４】
なお、図３は両側のマチ部フイルム片の奥端部同士を重ね合わせるためのガゼット機の１例を示す概略正面図、図４はガゼット機の他例を示す概略平面図である。
【００１５】
マチ付き長尺筒状プラスチックフイルム４を成形する場合、ブロー成形によって筒状に成形されながら連続的に繰り出される長尺筒状プラスチックフイルムの両側にガゼット機９，９を押し込んで、このガゼット機９，９によりガイドしながら表裏フイルム片４０，４０の両側部から内側にマチ部フイルム片４１，４１を折り込まることになる。
マチ部フイルム片４１，４１の奥端部同士を重ね合わせる場合、両ガゼット機９，９同士が対向配置されていると、両ガゼット機９，９同士が干渉する。
従って、例えば、図３に示すように、正面視で両ガゼット機９，９同士を、上下方向にズレが生じるように配置し、或いは、図４に示すように、平面視で両ガゼット機９，９同士を、表裏方向にズレが生じるように配置することにより、両ガゼット機９，９同士の干渉を防止しながら各ガゼット機９，９によってマチ部フイルム片４１，４１を内側に折り込んで、奥端部同士を重ね合わせたマチ付き長尺筒状プラスチックフイルム４を成形することができる。
【００１６】
以上、本発明の実施例について説明してきたが、本発明は前記実施例に限定されるものではなく、その要旨を変更しない範囲における設計変更等があっても本発明に含まれる。
例えば、前記実施例では、マチ付きプラスチックフィルム袋及びマチ付き連続状プラスチックフィルム袋には、その上部に把持片を形成していないが、図５に示すように、上部に略Ｕ字状の切り欠き１２を設け、上部両側に把持片１３，１３を形成してもよい。尚、１４，１４は溶着シール線である。
【００１７】
【発明の効果】
以上説明したように、本発明のマチ付きプラスチックフイルム袋（請求項１）及びマチ付き連続状プラスチックフイルム袋（請求項２）にあっては、両マチ部フイルム片の奥端部同士が重ね合わされた状態で、溶着シール線が形成されているため、溶着シール線上に表裏フイルム片を溶着しただけの２枚重ね溶着シール部はなく、溶着シール線のどの部分をとっても表裏フイルム片とマチ部フイルム片が溶着されている。
【００１８】
従って、水や重量が重いものを収容した場合、その重量がマチ部フイルム片と表裏フイルム片に加わることから、収容物の荷重が溶着シール線上の特定場所に集中するのを防止でき、溶着シール線に、収容部の重量に十分に耐え得るシール強度を持たせることができる。
【図面の簡単な説明】
【図１】第１実施例にかかるマチ付きプラスチックフイルム袋の正面図である。
【図２】第２実施例にかかるマチ付き連続プラスチックフイルム袋の斜視図である。
【図３】マチ部フイルム片の奥端部同士を重ね合わせるためのガゼット機の１例を示す概略正面図である。
【図４】ガゼット機の他例を示す概略平面図である。
【図５】マチ付きプラスチックフイルム袋の他の実施例を示す正面図である
【図６】従来のマチ付きプラスチックフイルム袋の正面図である。
【符号の説明】
１　マチ付き筒状プラスチックフイルム
１０，１０　表裏フイルム片
１１　マチ部フイルム片
２　開口部
３　溶着シール線
３０　２枚重ね溶着シール部
３１　４枚重ね溶着シール部
３５　６枚重ね溶着シール部
３６　４枚重ね溶着シール部
４　マチ付き長尺筒状プラスチックフイルム
４０，４０　表裏フイルム片
４１　マチ部フイルム片
５　溶着シール線
５０　６枚重ね溶着シール部
５１　４枚重ね溶着シール部
６　切断線
７　開口部
８　マチ付きプラスチックフイルム袋
９　ガゼット機
【図１】
2004051186.tif 000003
【図２】
2004051186.tif 000004
【図３】
2004051186.tif 000005
【図４】
2004051186.tif 000006
【図５】
2004051186.tif 000007
【図６】
2004051186.tif 000008